(57)【要約】      （修正有）【課題】商品陳列棚の所定の領域以外にはみ出すことがなく、陳列什器の支柱に対する着脱が容易な陳列用器具を提供する。【解決手段】陳列用器具１０に、支柱８１と係合しうる係合部材１４がブラケット１１に設けられ、この係合部材１４に一対の係合フック部１７ａ，１７ｂが設けられているから、一対の係合フック部を相互に隣り合う２ヶ所のスリット８２ａ，８２ｂに挿入し、各スリットの下端縁部８６ａ，８６ｂに引っ掛けるだけで、簡単にブラケット１１を支柱８１に係合させることができる。さらに、挿入片１９をスリット８２ｃに挿入することにより、吊下アーム１３に上方に向かって力を受けた場合であっても、挿入片１９の上端縁部４８がスリット８２ｃの上端縁部８５ｃに圧接され、吊下アーム１３の上方への動きが阻止されることになり、ブラケット１１と支柱８１の係合状態を維持することができる。【選択図】図１
0003122041.tif 000002
【実用新案登録請求の範囲】
【請求項１】
商品陳列棚の支柱に取り付けうるブラケットと、上記ブラケットから吊り下げられ、商品を展示しうるディスプレイ部とを有している陳列用器具であって、
上記ブラケットは、上記ディスプレイ部を吊り下げる吊下アームと、上記吊下アームを支持すると共に、上記支柱と係合しうる係合部材により構成され、
上記係合部材は、上記吊下アームの長さ方向端部に設けられていることを特徴とする陳列用器具。
【請求項２】
上記係合部材は、側面略三角形の板状に形成され、上記吊下アームの下部に設けられた支持片部と、上記支持片部から側方に突出して連設されると共に、上記支柱に形成されたスリットに挿入して係合しうる係合フック部とにより構成されていることを特徴とする請求項１記載の陳列用器具。
【請求項３】
上記支持片部は、上記吊下アームの長さ方向端面部と同一面上に配置される支柱当接部を有し、
上記係合フック部は、上記支柱当接部の上下方向に沿って一対に設けられ、
一対の上記係合フック部は、下方に折曲した鉤状に形成され、相互に隣り合う２ヶ所の上記スリットに同時に挿入しうるように配置されていることを特徴とする請求項２記載の陳列用器具。
【請求項４】
上記ブラケットには、上記ブラケットと上記支柱の係合状態をロックしうるロック部が設けられていることを特徴とする請求項１〜３のいずれか１項に記載の陳列用器具。
【請求項５】
上記ロック部には、上記吊下アームに対して出没しうると共に、上記吊下アームから突出した場合に上記支柱に形成されたスリットに挿入されうる挿入片が設けられていることを特徴とする請求項４記載の陳列用器具。
【請求項６】
上記挿入片は、側面略三角形の板状に形成され、吊下アームの長さ方向において、上記支柱に形成されたスリットへの挿入方向に沿って、上下方向の巾寸法が反挿入側端部方向に向かって次第に増大するように傾斜していることを特徴とする請求項５記載の陳列用器具。
【請求項７】
上記ディスプレイ部は、商品陳列棚の奥行き寸法と略同一の幅寸法であり、上記吊下アームは、上記ディスプレイ部を商品陳列棚の側面の領域に配置しうる長さ寸法であることを特徴とする請求項１〜６のいずれか１項に記載の陳列用器具。
【請求項８】
上記ディスプレイ部は、ネット状に形成されていることを特徴とする請求項１〜７のいずれか１項に記載の陳列用器具。
【考案の詳細な説明】
【技術分野】
【０００１】
本考案は、商品を陳列するための陳列用器具に係り、特に、商品陳列棚の支柱に取り付ける陳列用器具に関するものである。
【背景技術】
【０００２】
従来より、デパートやスーパーマーケット、ホームセンター等の商品販売店では、制限のある売り場面積に対する商品の陳列効率を向上させるため、商品陳列棚の側面の領域を商品陳列スペースとすることができる陳列用器具が設けられている。
一般的な陳列用器具は、商品陳列棚の支柱に形成された係合孔や支柱の頂部に形成された穴にＳ字フックの一端を引っ掛け、他端に紐等を介して商品陳列用のディスプレイ部を吊り下げるように構成されている。
このような構成の陳列用器具にあっては、ディスプレイ部の左右位置のバランスを保つように、ディスプレイ部の中央部分と支柱が同じ左右方向位置となるように吊り下げなければならないため、ディスプレイ部が商品陳列棚の側面の領域からはみ出してしまい、隣接する陳列棚の正面の領域にはみ出して商品の邪魔になったり、通路にはみ出して通行の邪魔になったりするという不具合がある。
【０００３】
上記のような不具合を解消し、所定の領域以外にはみ出さない陳列用器具として、固設すべき陳列什器の支柱に対して左右いずれか一方のみに固定式として張り出した係止腕と、この係止腕に吊持して商品を複数陳列するためのネット体とを具備し、係止腕が断面略コの字状の基体に溶接され、基体が蝶ネジにより締められて支柱に固設されている陳列用器具が存在する（以下、特許文献１参照。）。
しかしながら、このような構成の陳列用器具にあっては、着脱する際に蝶ネジを緩めたり締めたりする作業を要するため、レイアウトの変更等のように多くの陳列用器具の配置を変える場合の作業が煩雑であり、迅速に対応することができない。
また、蝶ネジ等の部品点数が多くなって製造コストが嵩むだけでなく、基体から蝶ネジが突出して設けられることから、陳列用器具を設置した場合に商品陳列棚全体としての外観品質の低下を招く恐れがある。
【０００４】
【特許文献１】特開２０００−９３２６９号公報。
【考案の開示】
【考案が解決しようとする課題】
【０００５】
そこで、本考案の課題は、商品陳列棚の所定の領域以外にはみ出すことがなく、陳列什器の支柱に対する着脱が容易な陳列用器具を提供することにある。
【課題を解決するための手段】
【０００６】
上記目的を達成するために、請求項１記載の考案は、商品陳列棚の支柱に取り付けうるブラケットと、上記ブラケットから吊り下げられ、商品を展示しうるディスプレイ部とを有している陳列用器具であって、上記ブラケットは、上記ディスプレイ部を吊り下げる吊下アームと、上記吊下アームを支持すると共に、上記支柱と係合しうる係合部材により構成され、上記係合部材は、上記吊下アームの長さ方向端部に設けられている。
【０００７】
また、請求項２記載の考案は、上記係合部材は、側面略三角形の板状に形成され、上記吊下アームの下部に設けられた支持片部と、上記支持片部から側方に突出して連設されると共に、上記支柱に形成されたスリットに挿入して係合しうる係合フック部とにより構成されている。
【０００８】
また、請求項３記載の考案は、上記支持片部は、上記吊下アームの長さ方向端面部と同一面上に配置される支柱当接部を有し、上記係合フック部は、上記支柱当接部の上下方向に沿って一対に設けられ、一対の上記係合フック部は、下方に折曲した鉤状に形成され、相互に隣り合う２ヶ所の上記スリットに同時に挿入しうるように配置されている。
【０００９】
また、請求項４記載の考案は、上記ブラケットには、上記ブラケットと上記支柱の係合状態をロックしうるロック部が設けられている。
【００１０】
また、請求項５記載の考案は、上記ロック部には、上記吊下アームに対して出没しうると共に、上記吊下アームから突出した場合に上記支柱に形成されたスリットに挿入されうる挿入片が設けられている。
【００１１】
また、請求項６記載の考案は、上記挿入片は、側面略三角形の板状に形成され、吊下アームの長さ方向において、上記支柱に形成されたスリットへの挿入方向に沿って、上下方向の巾寸法が反挿入側端部方向に向かって次第に増大するように傾斜している。
【００１２】
また、請求項７記載の考案は、上記ディスプレイ部は、商品陳列棚の奥行き寸法と略同一の幅寸法であり、上記吊下アームは、上記ディスプレイ部を商品陳列棚の側面の領域に配置しうる長さ寸法である。
【００１３】
また、請求項８記載の考案は、上記ディスプレイ部は、ネット状に形成されている。
【考案の効果】
【００１４】
請求項１記載の本考案に係る陳列用器具は、支柱と係合しうる係合部材がブラケットに設けられていることから、係合部材を支柱に係合させるだけで容易にブラケットを取り付けることができる。
したがって、煩雑な作業を要することなくワンタッチで支柱に取り付けることができるため、レイアウトの変更等のように大量のブラケットを着脱する場合にも迅速に作業を行うことができる。
また、ブラケットが吊下アームと係合部材のみで構成されているため、着脱が容易な陳列用器具を安価に製造することができる。
また、係合部材が吊下アームの長さ方向端部に設けられていることから、係合部材を支柱に係合させた場合に、任意の一方向にのみ突出させることができる。
したがって、陳列用器具を商品陳列棚の側面の領域に配置した場合に、隣接する陳列棚の正面の領域にはみ出して商品の邪魔になったり、通路にはみ出して通行の邪魔になったりするという事態を回避することができる。
【００１５】
また、請求項２記載の本考案に係る陳列用器具は、支持片部が吊下アームを支えることができるように設けられているため、係合部材を支柱に係合させた場合に吊下アームを支柱から突出させた状態を確実に維持することができる。
また、係合部材に係合フック部が設けられていることから、係合フック部をスリットに挿入して引っ掛けるだけでブラケットを支柱に係合させることができるため、係合させるための煩雑な作業を要することなく、より迅速にブラケットを支柱に取り付けることができる。
【００１６】
また、請求項３記載の本考案に係る陳列用器具は、吊下アームの長さ方向面部と同一面上に支柱当接部が設けられていることから、支柱の側面に沿わせて容易に固定できる。
また、係合フック部が一対に設けられ、これらが相互に隣り合う２ヶ所のスリットに同時に挿入しうるように配置されていることから、ブラケットと支柱の係合状態を確実に維持することができる。
【００１７】
また、請求項４記載の本考案に係る陳列用器具は、ブラケットを支柱に取り付けた状態でロックすることができるように構成されていることから、ブラケットに対して外れる方向に力が作用した場合であっても外れ難くなるため、ブラケットと支柱の係合状態をより確実に維持することができる。
【００１８】
また、請求項５記載の本考案に係る陳列用器具は、吊下アームに対して出没しうる挿入片が設けられていることから、スリットに対する挿入片の出し入れを自由に行うことができる。
したがって、ブラケットと支柱の係合状態のロック及び解除を任意に選択することができるため、ブラケットと支柱の係合状態を確実に維持することができると共に、ブラケットの着脱を容易に行うことができる。
【００１９】
また、請求項６記載の本考案に係る陳列用器具は、上記挿入片は、側面略三角形の板状に形成され、吊下アームの長さ方向において、上記支柱に形成されたスリットへの挿入方向に沿って、上下方向の巾寸法が反挿入側端部方向に向かって次第に増大するように傾斜していることから、上記挿入片は、上記支柱に形成されたスリットの長さ寸法の相違に拘わらず対応することができる。すなわち、支柱に形成されているスリットの長さ寸法が異なっている場合でも、上記挿入片をスリットに挿入して係合させることができる。
したがって、スリットの長さが小さ過ぎて挿入片が挿入できなかったり、スリットの長さが大き過ぎてそこに挿入した挿入片とスリットとの間に隙間が生じることにより確実にロックできない等の不具合がない。
また、上記挿入片は、上下方向の巾寸法が反挿入側端部方向に向かって次第に増大するように形成されていることから、上記吊下アームからの上記挿入片の突出長さを調節することにより、上記スリットに挿入して係合する部位の巾寸法をスリットの長さ寸法に容易に適合させることができる。
すなわち、上記スリットの長さ寸法が小さい場合は、上記挿入片の上記吊下アームからの突出長さを小さくすればよく、逆に、上記スリットの長さ寸法が大きい場合は、上記挿入片の上記吊下アームからの突出長さを大きくすることにより対応することができるため、操作が容易で使い勝手が良好である。
したがって、上記挿入片の突出長さの調整操作のみで、上記挿入片における係合部位の巾寸法をスリットの長さ寸法に容易に適合させることができ、スリットに対し上記挿入片をフィットするように挿入することが容易で、挿入片をスリットに対し確実に係合させることができ、上記吊下アームを上記スリットの長さ寸法に関わらず、支柱に係合させることができる。
また、上記挿入片は側面略三角形の板状に形成され、その上縁部が傾斜していることから、上記挿入片の形状がシンプルで成形が容易であり、又、上下方向の巾寸法を、上記吊下アームの長さ方向に沿って容易に変化させることができる。
【００２０】
また、請求項７記載の本考案に係る陳列用器具は、ディスプレイ部を商品陳列棚の側面の領域に配置した場合に商品陳列棚との一体感を得るように構成されているため、商品陳列棚全体としての外観品質を損なうことなく陳列用器具を設置することができる。
【００２１】
また、請求項８記載の本考案に係る陳列用器具は、ディスプレイ部がネット状に形成されていることから、ネットに商品を掛けて展示することができるため、商品を掛けるための部材が必要なくなる。
また、ディスプレイ部をネット状に形成することにより、陳列用器具全体の軽量化を図ることができることから、レイアウトの変更や輸送等のように大量の陳列用器具を扱う場合であっても迅速に作業を行うことができる。
【考案を実施するための最良の形態】
【００２２】
以下、図面を用いて本考案を実施するための最良の形態について説明する。
本実施の形態に係る陳列用器具１０は、図１に示すように、商品陳列棚１０の支柱８１に取り付けうるブラケット１１と、上記ブラケット１１から吊り下げられ、商品を展示しうるディスプレイ部１２とを有している陳列用器具１０であって、上記ブラケット１１は、上記ディスプレイ部１２を吊り下げる吊下アーム１３と、上記吊下アーム１３を支持すると共に、上記支柱８１と係合しうる係合部材１４により構成され、上記係合部材１４は、上記吊下アーム１３の長さ方向端部２２に設けられている。
【００２３】
また、図２及び図３に示すように、上記係合部材１４は、側面略三角形の板状に形成され、上記吊下アーム１３の下部１５に設けられた支持片部１６と、上記支持片部１６から側方に突出して連設されると共に、上記支柱８１に形成された上下方向において互いに隣接するスリット８２ａ，８２ｂに挿入して係合しうる係合フック部１７ａ，１７ｂとにより構成されている。
【００２４】
また、図４に示すように、上記支持片部１６は、上記吊下アーム１３の長さ方向端面部５０と同一面上に配置される支柱当接部２９を有し、上記係合フック部１７ａ，１７ｂは、上記支柱当接部２９の上下方向に沿って一対に設けられ、一対の上記係合フック部１７ａ，１７ｂは、下方に折曲した鉤状に形成され、相互に隣り合う２ヶ所の上記スリット８２ａ，８２ｂに同時に挿入しうるように配置されている。
【００２５】
また、上記ブラケット１１には、図３及び図４に示すように、上記係合部材１４と上記支柱８１の係合状態をロックしうるロック部１８が設けられている。
【００２６】
また、上記ロック部１８には、図３及び図４に示すように、上記吊下アーム１３に対して出没しうると共に、上記吊下アーム１３から突出した場合に上記支柱８１に形成された、上記係合フック部１７ａ，１７ｂが係合しうる上記スリット８２ａ，８２ｂの上方において隣接するスリット８２ｃに挿入されうる挿入片１９が設けられている。
【００２７】
また、他の実施形態では、図５〜図８に示すように、上記挿入片１９ａは、側面略三角形の板状に形成され、吊下アーム１３ａの長さ方向において、上記支柱８１ａ，８１ｂ，８１ｃに形成されたスリット８２ｄ，８２ｅ，８２ｆへの挿入方向に沿って、上下方向の巾寸法が反挿入側端部方向に向かって次第に増大するように傾斜している。
【００２８】
また、上記ディスプレイ部１２は、図１及び図２に示すように、商品陳列棚８０の奥行き寸法Ｌ１と略同一の幅寸法Ｌ２であり、上記吊下アーム１３は、上記ディスプレイ部１２を商品陳列棚８０の側面の領域８３に配置しうる長さ寸法Ｌ３である。
【００２９】
また、上記ディスプレイ部１２は、ネット状に形成されている。
【実施例１】
【００３０】
以下、図面（図１〜図４）を用いて本考案の実施例１に係る陳列用器具１０について説明する。
本実施例１に係る陳列用器具１０は、図１に示すように、商品陳列棚８０の支柱８１に係合して取り付けうるブラケット１１と、上記ブラケット１１からＳ字フック２１，２１を介して吊り下げられ、商品を展示しうるディスプレイ部１２により構成されている。
本実施例における上記支柱８１は、デパートやスーパーマーケット、ホームセンター等の商品販売店の商品陳列棚に設けられている一般的なタイプのものであり、図１及び図３に示すように、角筒形に形成され、上記支柱８１の一方面８４には、複数のスリット８２が上下方向に沿って幅方向に２列に並んで設けられている。
上記ブラケット１１は、図１及び図２に示すように、上記ディスプレイ部１２を吊り下げうる吊下アーム１３と、上記吊下アーム１３を支持すると共に、上記支柱８１と係合しうる係合部材１４と、上記ブラケット１１と上記支柱８１の係合状態をロックしうるロック部１８により構成され、上記係合部材１４は、上記吊下アーム１３の長さ方向における基端部２２に設けられている。
【００３１】
上記吊下アーム１３は、図１及び図２に示すように、横断面略正方形の棒状に形成され、先端部２３には保護キャップ２４が取り付けられ、長さ方向端面部５０にはクッション材が取り付けられている（クッション材の図示を省略する）。
上記クッション材は、上記ブラケット１１と上記支柱８１が係合した場合に、上記吊下アーム１３の長さ方向端面部５０と支柱８１に圧接されうるように設けられている。
上記吊下アーム１３の下面部１５には、図２に示すように、一対のＵ字状留め具２５，２５が設けられている。
上記Ｕ字状留め具２５は、両端部２６ａ，２６ｂが上記吊下アーム１３に固定され、上記Ｓ字フック２１の一端が上記Ｕ字状留め具２５に掛けられている。
【００３２】
上記ディスプレイ部１２は、図２に示すように、平面略長方形のネット状に形成され、上端縁部２７が上記Ｓ字フック２１，２１の他端に掛けられている。
上記ディスプレイ部１２の幅寸法Ｌ２は、図１に示すように、商品陳列棚８０の奥行き寸法Ｌ１と略同一の寸法であり、長さ寸法Ｌ４は、使用時に上記ディスプレイ部１２の下端縁部４９が商品陳列棚８０の設置面と接触しない程度の寸法である（設置面の図示を省略する）。
上記吊下アーム１３の長さ寸法Ｌ３は、図１及び図２に示すように、上記ディスプレイ部１２を商品陳列棚８０の側面の領域８３に配置しうる寸法であり、本実施例においては３００ｍｍである。
【００３３】
図３及び図４に示すように、上記係合部材１４は、側面略直角三角形状の板状に形成され、上記吊下アーム１３の下面部１５に設けられた支持片部１６と、上記支持片部１６から側方に突出して連設されると共に、上記支柱８１に形成されたスリット８２ａ，８２ｂに挿入して係合しうる一対の係合フック部１７ａ，１７ｂにより構成されている。
上記支持片部１６は、図４に示すように、上記吊下アーム１３の下面部１５に固定されたアーム当接部２８と、上記吊下アーム１３の長さ方向端面部５０と同一面上に配置され、上記ブラケット１１を上記支柱８１に取り付けた場合に上記支柱８１の一方面８４と当接しうる支柱当接部２９とを有し、上記支柱当接部２９と上記アーム当接部２８との接点３１において直角部分が形成されている。
また、アーム当接部２８と支柱当接部２９の接点３１に対向して設けられた傾斜縁部３２は、上記支持片部１６の内方に湾曲して形成されている。
【００３４】
図４に示すように、上記支柱当接部２９には、一対の上記係合フック部１７ａ，１７ｂが上下方向に沿って連設され、一対の上記係合フック部１７ａ，１７ｂは、相互に隣り合う２ヶ所の上記スリット８２ａ，８２ｂに同時に挿入しうるように配置されている。
上記係合フック部１７ａ，１７ｂは、図４に示すように、上記支柱当接部２９から支柱８１側に突出して下方に折曲した鉤状に形成されている。
上記係合フック部１７ａ，１７ｂの先端部３３ａ，３３ｂは、上記支持片部１６から支柱８１側に離間して設けられ、上記係合フック部１７ａ，１７ｂの先端部３３ａ，３３ｂと上記支持片部１６の離間寸法Ｌ５は、上記支柱８１の一方面８４の厚さと略同一である。
また、図３に示すように、下方側の係合フック部１７ａの折曲端部４５ａと上方側の係合フック部１７ｂの先端部３３ｂとの間隔Ｌ８は、下方側のスリット８２ａの上端縁部８５ａと上方側のスリット８２ｂの下端縁部８６ｂとの間隔Ｌ９よりもやや大きい寸法であり、下方側の係合フック部１７ａの先端部３３ａと上方側の係合フック部１７ｂの折曲端部４５ｂとの間隔Ｌ１０は、下方側のスリット８２ａの下端縁部８６ａと上方側のスリット８２ｂの上端縁部８５ｂとの間隔Ｌ１１よりもやや小さい寸法である。
また、一対の係合フック部１７ａ，１７ｂにおける各々の内方上縁部４６ａ，４６ｂの間隔Ｌ６は、互いに隣り合う２ヶ所のスリット８２ａ，８２ｂにおける各々の下端縁部８６ａ，８６ｂの間隔Ｌ７と略同一である。
上記係合フック部１７ａ，１７ｂと上記支持片部１６の間には、図４に示すように、間隙部３４ａ，３４ｂが形成され、上記間隙部３４ａ，３４ｂは、上記係合フック部１７ａ，１７ｂを上記スリット８２ａ，８２ｂに挿入した状態で回動させうるように、上記支持片部１６をやや切り欠いた形状で形成されている。
【００３５】
上記ロック部１８は、図３及び図４に示すように、上記吊下アーム１３の上面部４３にスライド可能に取り付けられた固定片３７と、上記固定片３７の先端部４１において上記吊下アーム１３の長さ方向端面部５０方向へ突出しうるように形成された挿入片１９と、上記固定片３７の後端部において長さ方向に沿って開設されたスライド孔部４４と、上記スライド孔部４４内に突出配置され、上記固定片３７を上記吊下アーム１３へ締付固定しうるボルト３８とを有している。
上記挿入片１９は、図４に示すように、平面略長方形の板状に形成され、起立した状態で上記スリット８２ｃに挿入されると共に、上記スリット８２ｃに挿入された場合に上記スリット８２ｃの上端縁部８５ｃに当接しうるように設けられている。
上記固定片３７は、図３に示すように、平面略長方形の板状に形成され、一方面３９における先端部４１に上記挿入片１９が固定され、他方面４２が上記吊下アーム１３の上面部４３に接触して設けられている。
上記スライド孔部４４は、図３及び図４に示すように、上記固定片３７が上記吊下アーム１３の長さ方向に沿ってスライドしうるように形成され、上記挿入片１９が、上記固定片３７のスライドに伴って、上記吊下アーム１３に対して出没しうると共に、上記吊下アーム１３から突出した場合に上記支柱８１に形成されたスリット８２ｃに挿入されるように構成されている。
【００３６】
以下、上記実施例１の作用について、図面を用いて説明する。
本実施例に係る陳列用器具１０にあっては、図３に示すように、下方側の係合フック部１７ａの折曲端部４５ａと上方側の係合フック部１７ｂの先端部３３ｂとの間隔Ｌ８が、下方側のスリット８２ａの上端縁部８５ａと上方側のスリット８２ｂの下端縁部８６ｂとの間隔Ｌ９よりもやや大きい寸法であり、下方側の係合フック部１７ａの先端部３３ａと上方側の係合フック部１７ｂの折曲端部４５ｂとの間隔Ｌ１０が、下方側のスリット８２ａの下端縁部８６ａと上方側のスリット８２ｂの上端縁部８５ｂとの間隔Ｌ１１よりもやや小さい寸法であることから、一対の係合フック部１７ａ，１７ｂの先端部３３ａ，３３ｂを相互に隣り合う２ヶ所のスリット８２ａ，８２ｂに挿入することができる。
そして、図４に示すように、一対の係合フック部１７ａ，１７ｂの先端部３３ａ，３３ｂを相互に隣り合う２ヶ所のスリット８２ａ，８２ｂに挿入した後に、各係合フック部１７ａ，１７ｂの内方側縁部４７ａ，４７ｂを支柱８１の内壁８７に当接させ、各係合フック部１７ａ，１７ｂの内方上縁部４６ａ，４６ｂが各スリット８２ａ，８２ｂの下端縁部８６ａ，８６ｂに当接させると共に、支持片部１６の支柱当接部２９を支柱８１の外壁８８に当接させることにより、ブラケット１１と支柱８１の係合状態を構成することができる。
この場合において、各係合フック部１７ａ，１７ｂの先端部３３ａ，３３ｂと支持片部１６の離間寸法Ｌ５が、支柱８１の一方面８４の厚さと略同一であり、一対の係合フック部１７ａ，１７ｂにおける各々の内方上縁部４６ａ，４６ｂの間隔Ｌ６が、互いに隣り合う２ヶ所のスリット８２ａ，８２ｂにおける各々の下端縁部８６ａ，８６ｂの間隔Ｌ７と略同一であることから、各係合フック部１７ａ，１７ｂの内方側縁部４７ａ，４７ｂが支柱８１の内壁８７を圧接すると共に、支持片部１６の支柱当接部２９が支柱８１の外壁８８を圧接することにより、吊下アーム１３を支柱８１から側方に突出した状態で支持することができる。
また、ロック部１８を使用する場合には、ボルト３８を緩めて固定片３７を支柱８１方向へスライドさせ、上方側の係合フック部１７ｂが挿入されているスリット８２ｂと上方において隣り合うスリット８２ｃに挿入片１９を挿入することにより、挿入片１９の上端縁部４８をスリット８２ｃの上端縁部８５ｃに当接させる。
【００３７】
したがって、上記実施例１に係る陳列用器具１０にあっては、支柱８１と係合しうる係合部材１４がブラケット１１に設けられ、この係合部材１４に一対の係合フック部１７ａ，１７ｂが設けられていることから、一対の係合フック部１７ａ，１７ｂを相互に隣り合う２ヶ所のスリット８２ａ，８２ｂに挿入し、各スリット８２ａ，８２ｂの下端縁部８６ａ，８６ｂに引っ掛けるだけで、簡単にブラケット１１を支柱８１に係合させることができる。
また、係合部材１４を支柱８１に係合させた場合には、係合部材１４が吊下アーム１３の基端部２２に設けられていることから、支柱８１に対して任意の一方向にのみ突出させることができ、支持片部１６が吊下アーム１３を支えることができるように設けられていることから、係合部材１４を支柱８１に係合させた場合に吊下アーム１３を支柱８１から一方向に突出させた状態を確実に維持することができる。
さらに、挿入片１９をスリット８２ｃに挿入することにより、吊下アーム１３に上方に向かって力を受けた場合であっても、挿入片１９の上端縁部４８がスリット８２ｃの上端縁部８５ｃに圧接され、吊下アーム１３の上方への動きが阻止されることになり、ブラケット１１と支柱８１の係合状態を維持することができる。
【実施例２】
【００３８】
次に、図面（図５〜図８）を用いて本考案の実施例２に係る陳列用器具１０ａについて説明する。
本実施例２に係る陳列用器具１０ａは、図６〜図８に示すように、商品陳列棚の支柱８１ａ，８１ｂ，８１ｃに形成されているスリット８２ｄ，８２ｅ，８２ｆの長さ寸法が一律ではなく、様々な長さ寸法を有するスリット８２ｄ，８２ｅ，８２ｆに対応しうるように考案されたものである。
【００３９】
なお、本実施例２に係る陳列用器具１０ａは上記実施例１の陳列用器具１０とロック部１８ａの挿入片１９ａの形状のみが異なり、その他の構造及び機能は同一である。
したがって、上記挿入片１９ａのみについて説明し、その他の部位の構造及び機能については説明を省略する。
【００４０】
本実施例２においても、ブラケット１１ａにおける吊下アーム１３ａには、図５に示すように、ロック部１８ａが設けられている。
上記ロック部１８ａは、上記吊下アーム１３ａの上面部４３ａにスライド可能に取り付けられた固定片３７ａと、上記固定片３７ａの先端部４１ａにおいて上記吊下アーム１３ａの長さ方向端面部５０ａ方向へ突出しうるように形成された挿入片１９ａと、上記固定片３７ａの後端部において長さ方向に沿って開設されたスライド孔部４４ａと、上記スライド孔部４４ａ内に突出配置され、上記固定片３７ａを上記吊下アーム１３ａへ締付固定しうるボルト３８ａとを有している。
なお、上記吊下アーム１３ａの下面側には、一対の係合フック部１７ｄ，１７ｅを有する係合部材１４ａと、Ｕ字状留め具２５ｃも設けられている。
【００４１】
上記挿入片１９ａは、図５に示すように、側面略三角形の板状に形成され、その上縁部７０は傾斜し、その上下方向の巾寸法が反挿入側端部方向に向かって次第に増大している。
上記挿入片１９ａは、図６〜図８に示すように、起立した状態で上記支柱のスリット８２ｄ，８２ｅ，８２ｆに挿入されると共に、上記スリット８２ｄ，８２ｅ，８２ｆに挿入された場合に上記スリット８２ｄ，８２ｅ，８２ｆの上端縁部８５ｄ，８５ｅ，８５ｆに当接しうるように設けられている。
【００４２】
上記挿入片１９ａは、図５に示すように、下縁後端部から下方へ突設された首部７１を介して、上記吊下アーム１３ａの上面部に接触して設けられた上記固定片３７ａに固定されている。
上記固定片３７ａは上記吊下アーム１３ａの長さ方向に沿ってスライドしうるように形成され、上記挿入片１９ａが、上記固定片３７ａのスライドに伴って、上記吊下アーム１３ａに対して出没しうると共に、上記吊下アーム１３ａから突出した場合に上記支柱８１ａ，８１ｂ，８１ｃに形成されたスリット８２ｄ，８２ｅ，８２ｆに挿入されるように構成されている。
【００４３】
以下、上記実施例２の作用について、図面（図６〜図８)を用いて説明する。
上記挿入片１９ａは、上記支柱８１ａ，８１ｂ，８１ｃに形成されているスリット８２ｄ，８２ｅ，８２ｆの上下方向の長さ寸法の相違に拘わらず対応することができる。
すなわち、上記挿入片１９ａは、上下方向の巾寸法が反挿入側端部方向に向かって次第に増大するように形成されていることから、上記吊下アーム１３ａからの上記挿入片１９ａの突出長さを調節することにより、上記スリット８２ｄ，８２ｅ，８２ｆに挿入して係合する部位の巾寸法をスリット８２ｄ，８２ｅ，８２ｆの長さ寸法に適合させることができる。
したがって、上記固定片３７ａをスライドさせて上記挿入片１９ａの上記吊下アーム１３ａからの突出長さを調整するのみでよいので、操作が容易で使い勝手が良好である。
例えば、図６に示すように、上記スリット８２ｄの長さ寸法が小さい場合は、ボルト３８ａを緩めて上記固定片３７ａを支柱８１ａ方向へスライドさせ、上記スリット８２ｄに上記挿入片１９ａを挿入することにより、挿入片１９ａの先端近傍のＡの部位において、挿入片１９ａの上縁部７０をスリット８２ｄの上端縁部８５ｄに当接させることにより上記ブラケット１１ａを上記支柱８１ａに固定することができる。
また、図８に示すように、上記スリット８２ｆの長さ寸法が大きい場合は、同様にボルト３８ａを緩めて上記固定片３７ａを支柱８１ｃ方向へスライドさせ、上記スリット８２ｆに上記挿入片１９ａを挿入することにより、挿入片１９ａの先端から離間したＣの部位において、挿入片１９ａの上縁部７０をスリット８２ｆの上端縁部８５ｆに当接させることにより上記ブラケット１１ａを上記支柱８１ｃに固定することができる。
また、上記スリット８２ｅの長さ寸法が図６に示す場合より長く且つ図８に示す場合よりも小さい場合は、図７に示すように、上記固定片３７ａを支柱８１ｂ方向へスライドさせ、上記スリット８２ｅに上記挿入片１９ａを挿入することにより、上記ＡとＣの中間のＢの部位において、挿入片１９ａの上縁部７０をスリット８２ｅの上端縁部８５ｅに当接させることにより上記ブラケット１１ａを上記支柱８１ｂに固定することができる。
したがって、上記挿入片１９ａの突出長さの調整操作のみで、上記挿入片１９ａにおける係合部位の巾寸法を様々な長さ寸法を有するスリット８２ｄ，８２ｅ，８２ｆの長さ寸法に容易に適合させることができ、上記スリット８２ｄ，８２ｅ，８２ｆに対し上記挿入片１９ａをフィットするように挿入することが容易で、上記挿入片１９ａを様々な長さ寸法を有するスリット８２ｄ，８２ｅ，８２ｆに対し確実に係合させることができ、上記吊下アーム１３ａを上記スリット８２ｄ，８２ｅ，８２ｆの長さ寸法に関わらず、支柱８１ａ，８１ｂ，８１ｃに係合させることができる。
このことから、スリットの長さが小さ過ぎて挿入片１９ａが挿入できなかったり、スリットの長さが大き過ぎてそこに挿入した挿入片１９ａとスリットとの間に隙間が生じることにより確実にロックできない等の不具合がなく、上記スリット８２ｄ、８２ｅ、８２ｆに対し上記挿入片１９ａをフィットしうるように挿入して、上記挿入片１９ａを様々な長さ寸法を有するスリット８２ｄ、８２ｅ、８２ｆに対しても確実に係合させてロックすることができ、上記吊下アーム１３ａを上記支柱８１ａ，８１ｂ，８１ｃに固定することができる。
【産業上の利用可能性】
【００４４】
本考案は、主に商品陳列棚に取り付ける陳列用器具に適用可能である。
【図面の簡単な説明】
【００４５】
【図１】本考案に係る陳列用器具の一実施の形態を示す斜視図である。
【図２】本考案に係る陳列用器具の一実施の形態を示す正面図である。
【図３】本考案に係る陳列用器具の一実施の形態を示し、陳列棚と陳列用器具との係合関係を示す斜視図である。
【図４】本考案に係る陳列用器具の一実施の形態を示し、陳列棚と陳列用器具との係合関係を示す断面図である。
【図５】本考案に係る陳列用器具の、他の実施の形態を示すもので、ブラケット一端に設けられたロック部の斜視図である。
【図６】本考案に係る陳列用器具の、他の実施の形態を示すもので、ロック部の挿入片を長さが小さいスリットに挿入した状態を示す断面図である。
【図７】本考案に係る陳列用器具の、他の実施の形態を示すもので、ロック部の挿入片を長さが中くらいのスリットに挿入した状態を示す断面図である。
【図８】本考案に係る陳列用器具の、他の実施の形態を示すもので、ロック部の挿入片を長さが大きいスリットに挿入した状態を示す断面図である。
【符号の説明】
【００４６】
１０，１０ａ  陳列用器具
１１，１１ａ  ブラケット
１２  ディスプレイ部
１３，１３ａ  吊下アーム
１４，１４ａ  係合部材
１５  吊下アームの下面部
１６  支持片部
１７ａ，１７ｂ，１７ｃ，１７ｄ  係合フック部
１８，１８ａ  ロック部
１９，１９ａ  挿入片
２１  Ｓ字フック
２２  吊下アームの基端部
２３  吊下アームの先端部
２４  保護キャップ
２５，２５ｃ  Ｕ字状留め具
２６ａ，２６ｂ  Ｕ字状留め具の端部
２７  ディスプレイ部の上端縁部
２８  アーム当接部
２９  支柱当接部
３１  接点
３２  傾斜縁部
３３ａ，３３ｂ  係合フックの先端部
３４ａ，３４ｂ  間隙部
３５  挿入片の先端部
３６  挿入片の後端部
３７，３７ａ  固定片
３８，３８ａ  ボルト
３９  固定片の一方面
４１  固定片の一方面の先端部
４２  固定片の他方面
４３  吊下アームの上面部
４４，４４ａ  スライド孔部
４５ａ，４５ｂ  折曲端部
４６ａ，４６ｂ  係合フック部の内方上縁部
４７ａ，４７ｂ  係合フック部の内方側縁部
４８  挿入片の上端縁部
４９  ディスプレイ部の下端縁部
５０  吊下アームの長さ方向端面部
７０  挿入片の上縁部
７１  挿入片の首部
８０  商品陳列棚
８１，８１ａ，８１ｂ，８１ｃ  支柱
８２，８２ａ，８２ｂ，８２ｃ，８２ｄ，８２ｅ，８２ｆ  スリット
８３  商品陳列棚の側面の領域
８４  支柱の一方面
８５ａ，８５ｂ，８５ｃ，８５ｄ，８５ｅ，８５ｆ  スリットの上端縁部
８６ａ，８６ｂ  スリットの下端縁部
８７  支柱の内壁
８８  支柱の外壁
Ｌ１  商品陳列棚の奥行き寸法
Ｌ２  ディスプレイ部の幅寸法
Ｌ３  吊下アームの長さ寸法
Ｌ４  ディスプレイ部の長さ寸法
Ｌ５  係合フック部と支持片部の離間寸法
Ｌ６  一対の係合フック部における各々の内方上縁部間の寸法
Ｌ７  互いに隣り合う２ヶ所のスリットにおける各々の下端縁部間の寸法
Ｌ８  下方側の係合フック部の折曲端部と上方側の係合フック部の先端部間の寸法
Ｌ９  下方側のスリットの上端縁部と上方側のスリットの下端縁部間の寸法
Ｌ１０  下方側の係合の先端部と上方側の係合フック部の折曲端部間の寸法
Ｌ１１  下方側のスリットの下端縁部と上方側のスリットの上端縁部間の寸法
Ａ  先端近傍部位
Ｂ  中間部位
Ｃ  先端離間部位
【図１】
0003122041.tif 000003
【図２】
0003122041.tif 000004
【図３】
0003122041.tif 000005
【図４】
0003122041.tif 000006
【図５】
0003122041.tif 000007
【図６】
0003122041.tif 000008
【図７】
0003122041.tif 000009
【図８】
0003122041.tif 000010